(57)【要約】【課題】  小絞り用セクタを効率良く揺動させる絞り装置を提供する。【解決手段】  レンズ開口４を備えた基板３と、前記レンズ開口４を遮蔽して絞りを変更する第１の小絞り用穴１３を備える第１小絞り用セクタ１０及び第２の小絞り用穴２３を備える第２小絞り用セクタ２０を含み、前記第１及び第２小絞り用セクタ１０，２０の夫々に形成したカム溝１２，２２に係合して前記第１及び第２小絞り用セクタを揺動する駆動ピン５を備え、前記駆動ピン５が初期位置にあるときに該第１及び第２小絞り用セクタは前記レンズ開口から退避した退避位置にあり、前記第１及び第２小絞り用セクタの前記カム溝は、前記初期位置から移動する駆動ピンに応じて当該セクタを前記レンズ開口へと誘導する揺動領域と、他のセクタが前記レンズ開口へ誘導されるときには当該セクタを前記退避位置に保持する非揺動領域とを含んでいる絞り装置である。【選択図】    図１
2005173355.tif 000002
【特許請求の範囲】
【請求項１】
レンズ開口を備えた基板と、前記レンズ開口を遮蔽して絞りを変更する第１の小絞り用穴を備える第１小絞り用セクタ及び第２の小絞り用穴を備える第２小絞り用セクタを含み、前記第１及び第２小絞り用セクタの夫々に形成したカム溝に係合して前記第１及び第２小絞り用セクタを揺動する駆動ピンを備え、
前記駆動ピンが初期位置にあるときに前記第１及び第２小絞り用セクタは前記レンズ開口から退避した退避位置にあり、
前記第１及び第２小絞り用セクタの前記カム溝は、前記初期位置から移動する駆動ピンに応じて当該セクタを前記レンズ開口へと誘導する揺動領域と、他のセクタが前記レンズ開口へ誘導されるときには当該セクタを前記退避位置に保持する非揺動領域とを含んでいる絞り装置。
【請求項２】
前記駆動ピンは前記初期位置の両側に位置する第１の位置及び第２の位置へ移動が可能であり、
前記駆動ピンが前記第１の位置へ移動したときには前記第１小絞り用セクタが前記レンズ開口を遮蔽して第１絞り状態を形成し、前記駆動ピンが前記第２の位置へ移動したときには前記第２小絞り用セクタが前記レンズ開口を遮蔽して第２絞り状態を形成する請求項１に記載の絞り装置。
【請求項３】
前記駆動ピンは円弧状の軌跡を描いて移動し、
前記非揺動領域は前記駆動ピンの軌跡に沿った形状であり、該駆動ピンが移動したときに前記セクタを移動しないで前記セクタの位置を保持するように形成されている請求項１に記載の絞り装置。
【請求項４】
前記第１、又は第２小絞り用セクタの揺動軸が、他のセクタの度位置決め部材となされている請求項１に記載の絞り装置。
【請求項５】
前記第１、又は第２小絞り用セクタは前記レンズ開口を小絞り状態にするため遮蔽すべき一部を遮蔽するための補助セクタが設けられている請求項１に記載の絞り装置。
【請求項６】
前記補助セクタは同時に小絞り状態を形成する前記小絞り用セクタと同軸で揺動自在に軸支され、前記駆動ピンに係合するカム溝を備える請求項５に記載の絞り装置。
【請求項７】
前記補助セクタの前記カム溝は、前記駆動ピンに応じて前記補助セクタを前記レンズ開口へと誘導する揺動領域と、他の小絞り用セクタが前記レンズ開口へ誘導されるときには前記補助セクタを前記退避位置に保持する非揺動領域とを含んでいる請求項６に記載の絞り装置。
【請求項８】
請求項１乃至７のいずれかに記載の絞り装置を含む光学機器装置。
【発明の詳細な説明】
【技術分野】
【０００１】
本発明は光学機器用の絞り装置に関する。より詳細にはデジタルカメラやビデオカメラ等の光学機器に好適に使用できる絞り装置に関する。
【背景技術】
【０００２】
カメラに内蔵される絞り装置については、従来から多くの提案がされている。駆動リングを用いて多数の絞り羽根を駆動して５段階以上の多段絞りを実現する絞り装置や、小絞り穴を有する絞り羽根でレンズ開口を遮蔽して所定の小絞りを実現する絞り装置等がよく知られている。駆動リングを用いる絞り装置は一般に構造が複雑で、大型化するため、高級機種のカメラに採用されている。しかし、近年、低価格のカメラやデジタルカメラが広く普及するようになっている。そこで、絞りを２〜４段階程度に限定し、簡素な構造で、より小型化した絞り装置への要請が大きくなっている。
【０００３】
絞りの段階を少なく限定して小型化を図った絞り装置は、例えば特許文献１に開示されている。この特許文献１に開示される絞り装置は、小絞り穴の大きさが異なる２枚の小絞り羽根を揺動自在に配置している。そして、駆動ピンで２枚の小絞り羽根を選択的に駆動してレンズ開口を遮蔽し、全開状態、第１の小絞り状態、第２の小絞り状態を形成する。このような絞り装置であれば、簡易な構成で２段の小絞り状態を形成できる。
【０００４】
【特許文献１】特開２００１−１８８２７６号  公報
【発明の開示】
【発明が解決しようとする課題】
【０００５】
しかしながら特許文献１に開示する絞り装置では、絞り羽根をレンズ開口位置へ移動させるだけに駆動ピンを使用している。よって、絞り羽根を待機位置（或いは退避位置）へ戻す為の復帰バネが配設されている。また、この復帰バネの付勢力を受けた絞り羽根が所定の待機位置に止まるように度決めピンが設けられている。このような構成では、絞り羽根に常に復帰バネから付勢力が作用しているので、駆動ピンを駆動するアクチュエータは負荷を考慮して大きなものを採用することが必要となる。また、上記のように待機位置には絞り羽根を停止させるための度決めピン（度位置決め部材）を設ける必要があるので部品点数が増加する。
【０００６】
そこで、本発明の目的は、上記課題を解決し、より簡素化した構造で小絞り用セクタを効率良く揺動させることができる絞り装置を提供することである。
【課題を解決するための手段】
【０００７】
上記目的は、レンズ開口を備えた基板と、前記レンズ開口を遮蔽して絞りを変更する第１の小絞り用穴を備える第１小絞り用セクタ及び第２の小絞り用穴を備える第２小絞り用セクタを含み、前記第１及び第２小絞り用セクタの夫々に形成したカム溝に係合して前記第１及び第２小絞り用セクタを揺動する駆動ピンを備え、前記駆動ピンが初期位置にあるときに前記第１及び第２小絞り用セクタは前記レンズ開口から退避した退避位置にあり、前記第１及び第２小絞り用セクタの前記カム溝は、前記初期位置から移動する駆動ピンに応じて当該セクタを前記レンズ開口へと誘導する揺動領域と、他のセクタが前記レンズ開口へ誘導されるときには当該セクタを前記退避位置に保持する非揺動領域とを含んでいる絞り装置により達成できる。
【０００８】
本発明によると、第１及び第２小絞り用セクタの各々が備える前記カム溝によって、第１小絞り用セクタがレンズ開口を遮蔽しているときには、第２小絞り用セクタが退避位置に保持される。同様に、第２小絞り用セクタがレンズ開口を遮蔽しているときには、第１小絞り用セクタが退避位置に保持される。よって、復帰バネを用いることなく、確実に小絞り用のセクタを揺動して異なる絞り状態を形成できる。また、前記カム溝によって小絞り用セクタを退避位置に保持することもできるので、度位置決め部材が不要となり構成を簡素化して、小型化を促進できる。
【０００９】
そして、前記駆動ピンは前記初期位置の両側に位置する第１の位置及び第２の位置へ移動が可能であり、前記駆動ピンが前記第１の位置へ移動したときには前記第１小絞り用セクタが前記レンズ開口を遮蔽して第１絞り状態を形成し、前記駆動ピンが前記第２の位置へ移動したときには前記第２小絞り用セクタが前記レンズ開口を遮蔽して第２絞り状態を形成するように構成できる。
【００１０】
また、前記駆動ピンは円弧状の軌跡を描いて移動し、前記非揺動領域は前記駆動ピンの軌跡に沿った形状であり、該駆動ピンが移動したときに前記セクタを移動しないで前記セクタの位置を保持するように形成することができる。このような非揺動領域は、カム溝内に簡単に形成できる。また、前記第１、又は第２小絞り用セクタの揺動軸が、他のセクタの度位置決め部材となる構造を採用してもよい。各セクタはカム溝によって、所定位置に停止させることができるが、このように他のセクタの支軸を度位置決め部材として兼用するとより確実にセクタを所望の位置に停止できる。しかも、既存の部材を利用するだけであるので、新たな部材を必要としない。
【００１１】
さらに、前記第１、又は第２小絞り用セクタは前記レンズ開口を小絞り状態にするため遮蔽すべき一部を遮蔽するための補助セクタが設けられている構造を採用してもよい。この場合には、第１及び第２小絞り用セクタを小型化できるので、基板を含めて絞り装置全体の小型化を促進することができる。各小絞り用セクタを小型化したことによる遮光漏れは補助セクタにより補完されるので、絞り装置としての機能は補完できる。特に、前記補助セクタは同時に小絞り状態を形成する前記小絞り用セクタと同軸で揺動自在に軸支され、前記駆動ピンに係合するカム溝を備えるように形成すれば、補助セクタを本来の絞り用セクタと同様に揺動できる。前記補助セクタの前記カム溝は、前記駆動ピンに応じて前記補助セクタを前記レンズ開口へと誘導する揺動領域と、他の小絞り用セクタが前記レンズ開口へ誘導されるときには前記補助セクタを前記退避位置に保持する非揺動領域とを含んでいる構造を採用できる。上記絞り装置を含む光学機器装置は精度良く絞り用セクタが移動されるので鮮明な画像を撮影できる。
【発明の効果】
【００１２】
以上説明したように、本発明の絞り装置は簡素化した構造で絞り用のセクタを確実に駆動できる。
【発明を実施するための最良の形態】
【００１３】
以下、図面に基づいて実施形態の絞り装置を説明する。ここでは、実施例１と実施例２との２つの例を示す。
【実施例１】
【００１４】
図１は実施例１に係る絞り装置１が全開状態にあるときの様子を示した図である。図２は、図１の絞り装置１に含まれる２枚の小絞り用セクタ（小絞り羽根）を取り出して示した図である。さらに、図３は絞り装置１が一段絞りの状態にあるときの様子を示した図である。図４は絞り装置１が二段絞りの状態にあるときの様子を示した図である。さらに図５は、図１の絞り装置が備える基板とアクチュエータとの配置関係が確認できるように示した側面図である。
【００１５】
図１に示すように、本絞り装置１はシャッタ基板３と、小絞り用のセクタを２枚備えた絞り装置である。第１セクタ１０は、大きめの小絞り穴１３（第１の小絞り穴）を備えた第１小絞り羽根である。第２セクタ２０は、第１セクタの小絞り穴１３よりも小さな小絞り穴２３（第２の小絞り穴）を備えた第２小絞り羽根である。この図１では、各セクタを確認し易いように、第１セクタ１０に関する部分を実線、第２セクタ２０に関する部分を破線で示している。
【００１６】
基板３の中央には、レンズ開口４が形成されている。このレンズ開口４を第１セクタ１０が遮蔽すると、第１セクタ１０には小絞り穴１３が形成されているので第１段の小絞り状態（一段絞り状態）が形成される（図３参照）。また、第２セクタ２０が遮蔽すると、第２セクタ２０には異なる直径の小絞り穴２３が形成されているので第２段の小絞り状態（二段絞り状態）が形成される（図４参照）。
【００１７】
上記第１セクタ１０は支軸（揺動軸）１１を中心に揺動自在に構成され、長穴状に形成したカム溝１２を備えている。上記第２セクタ２０も同様に、支軸２１を中心に揺動自在に構成されカム溝２２を備えている。カム溝１２、２２には、ステップモータ７（図５参照）によって、円弧状の軌跡を描いて揺動する駆動ピン５が係合している。すなわち、１つの駆動ピン５が２個のカム溝１２、２２を貫通し、この駆動ピン５の移動に２枚のセクタ１０、２０が所定位置に移動されるように構成されている。
【００１８】
図２は、図１に示した各セクタ１０，２０を確認し易いように取り出して示した図であり、（Ａ）は第１セクタ１０、（Ｂ）は第２セクタ２０を示している。なお、これらの図では図１に示す全開状態の時の駆動ピン５の位置を初期位置（５−１）として示している。そして、図３に示す一段絞り時の駆動ピン５の位置を位置（５−２）で示し、さらに図４に示す二段絞り時の駆動ピン５の位置を位置（５−３）で示している。本絞り装置１では、駆動ピン５の初期位置（５−１）を間にして、反時計方向へ回動したときに一段絞りの状態が形成され、逆に時計方向へ回動したときには二段絞りの状態が形成される。
【００１９】
第１セクタ１０及び第２セクタ２０の各々に形成されているカム溝１２、２２は、お互いに、一方のセクタがレンズ開口４を遮蔽するときには、他方のセクタがレンズ開口４から退避した位置に留まるように形成されている。すなわち、本絞り装置１に含む第１セクタ１０及び第２セクタ２０は、レンズ開口４へと誘導し、また、自身が絞りに関与しないときには退避位置に留まるように形成したカム溝１２、２２を有している。なお、ここでの退避位置とは各セクタ１０，２０がレンズ開口４を塞がないように退避した位置である。図１に示す全開状態では、両セクタ１０，２０が共に退避位置にある。図３の一段絞り又は図４の二段絞りの状態では、一方のセクタがレンズ開口を遮蔽する位置にあり、他方のセクタがレンズ開口から退避した位置にある。
【００２０】
第１セクタ１０及び第２セクタ２０に形成されているカム溝１２、２２について、図２と共に図３及び図４も参照して説明する。図２に示すように、第１セクタ１０に形成されたカム溝１２は、駆動ピン５が初期位置（５−１）から位置（５−２）へ移動するときにセクタ１０をレンズ開口４へと誘導する揺動領域αと、これとは逆に駆動ピン５が初期位置（５−１）から位置（５−３）へ移動して第２セクタ２０をレンズ開口４へ誘導するときにセクタ１０を前記退避位置に保持す非揺動領域βとを含んでいる。
【００２１】
図２（Ａ）に示している第１セクタ１０は、図１の全開状態での姿勢であり、この状態から駆動ピン５が位置（５−２）へと移動すると図３の一段絞り状態となる。このときの第１セクタ１０に着目すると、カム溝１２内を駆動ピン５が揺動領域α側へ移動し、その端部に至ると当接して支軸１１を中心に時計回りに回動されている。これに対して、第２セクタ２０は図１と図３とで姿勢が変化していない。
【００２２】
上記のように第１セクタ１０が揺動するのは駆動ピン５が初期位置（５−１）から位置（５−２）に移動したときである。ところが、図２（Ｂ）の第２セクタ２０のカム溝２２は、この部分に非揺動領域βが形成されている。この非揺動領域βは、駆動ピン５の軌跡に沿った円弧形状に形成されている。よって、駆動ピン５が初期位置（５−１）から位置（５−２）へ移動しても、第２セクタ２０は駆動ピン５から移動させるような力（負荷）を受けない。すなわち、第２セクタ２０は同じ位置に保持される。よって、図３に示す一段絞りのときには、第１セクタ１０のみがレンズ開口４を遮蔽する位置に移動され、第２セクタ２０は退避位置に保持されるという状態が形成される。
【００２３】
第１セクタ１０のカム溝１２と第２セクタ２０カム溝２２とは、ほぼ線対称の形状に形成されている。よって、図４に示す二段絞りの状態となったときには、上記とちょうど逆の関係が形成される。すなわち、駆動ピン５が初期位置（５−１）から位置（５−３）へ移動すると、図４に示すように第２セクタ２０は支軸２１を中心に回転してレンズ開口４を遮蔽する。一方、駆動ピン５が初期位置（５−１）から位置（５−３）へ移動しても、第１セクタ１０は駆動ピン５から移動させるような力（負荷）を受けない。よって、図４に示す二段絞りのときには、図３に示した一段絞りの場合とは逆に、第２セクタ２０のみがレンズ開口４を遮蔽する位置に移動され第１セクタ１０は退避位置に保持されることになる。なお、図３に示す一段絞りの状態及び図４に示す二段絞りの状態を形成した後は、駆動ピン５を逆向きに駆動することで図１に示した全開状態に戻すことができる。
【００２４】
以上のように、実施例１の絞り装置１では、一方のセクタがレンズ開口４を遮蔽すると、他方のセクタが遮蔽位置に保持される。特に、図１の全開状態、図３の一段絞り状態、図４の二段絞り状態及び図３、図４から図１の状態の復帰動作は、両セクタに形成したカム溝によって実現されている。すなわち、本絞り装置１では、従来のようにセクタを初期位置へ復帰させるための復帰バネや停止位置を規定する度位置決め部材を必要としない。よって、本絞り装置１は、従来の絞り装置よりも構成を簡素化して、セクタを確実に揺動できる。
【００２５】
上記第１セクタ１０及び第２セクタ２０を退避位置により確実に保持するためのより好ましい改善例について説明する。上記のように第１セクタ１０及び第２セクタ２０は、それぞれのカム溝１２及びカム溝２２によって、レンズ開口４へ誘導し、また退避位置に保持できる。より確実に各セクタを退避位置に保持するための構成として支軸２１、１１を利用することができる。
【００２６】
図１に示すように第１セクタ１０がレンズ開口４から退避した状態となったときに、ちょうど第２セクタ２０の支軸２１に当接するようにセクタ１０の端部が整形されている。同様に、第２セクタ２０についてもレンズ開口４から退避した状態となったときに第１セクタ１０の支軸１１に当接するように端部が整形されている。この改善例では一方のセクタの支軸が、他方のセクタの補助的な度決め部材として兼用される。よって、部品点数を増加させることなく各セクタ１０，２０を所定位置に確実に停止させる構造を実現できる。
【００２７】
さらに、図５を参照して、上記絞り装置１のセクタ１０，２０を駆動する構成を簡単に説明する。図５は、図１の絞り装置が備える基板３とモータ７との配置関係を示した側面図である。ステップモータ７は、ロータ７０２、この外周にＵ字型のステータ７０３を備えている。このステータ７０３には２個のコイル７０４、７０５が巻回されている。これらのコイル７０４、７０５は図示しない制御回路により駆動制御されている。
【００２８】
基板３は、上記のようにレンズ開口４を備えているがこの図５では示されていない。基板３の前面側には前記した２枚のセクタ１０、２０が基板面に沿うように配置されている。これらのセクタは、基板３側から第１セクタ１０、第２セクタ２０である。基板３の背面側には上記ステップモータ７が配置されている。
【００２９】
第１セクタ１０は基板３に設けた支軸１１に係合する穴、及びステップモータ７のロータ軸７０７に接続された駆動ピン５に係合する前記カム溝１２を備えている。同様に、第２セクタ２０は基板３に設けた支軸２１に嵌合する穴、及び上記駆動ピン５に係合する前記カム溝２２を備えている。セクタ１０，２０は駆動ピン５の移動に伴ってそれぞれが独自の軌跡を描いて揺動する。
【００３０】
基板３の背面側に配置しているステップモータ７のロータ軸７０７には、半径方向に延出したアーム部８が接続されている。このアーム部８の端部からは基板３側に設けた扇形状の開口６（図１参照）を通り反対側まで延在した駆動ピン５が接続されている。前面側に出たこの駆動ピン５に、セクタ１０、２０のそれぞれに設けたカム溝１２、２２が係合している。よって、ステップモータ７のロータ軸７０７が回動したときには、駆動ピン５がこれに伴って移動し、さらにセクタ１０，２０が所定の軌跡で揺動して、前述した図１（全閉）、図３（一段絞り）及び図４（二段絞り）の状態を形成できる。
【実施例２】
【００３１】
さらに、図６から図９を参照して、実施例２に係る絞り装置５０について説明する。上記実施例１で示した各セクタ１０、２０は、図３及び図４に示すように、レンズ開口４を単独で遮蔽して小絞り状態を形成できる。すなわち、各セクタ１０、２０は、小絞り穴１３、２３の周部に十分な幅（面積）を有している。絞り装置の小型化を図るためには、基板３の面積を小さくするためにセクタの面積を小さくすることが必要となる。しかし、セクタを小さく形成すると小絞り穴以外の部分でレンズ開口４を遮蔽できない一部分（未遮蔽部分）が発生することになる。本実施例２の絞り装置５０は、絞り用セクタの未遮蔽部分を補完して遮蔽する補助セクタを備えた絞り装置である。
【００３２】
図６は実施例２に係る絞り装置５０が全開状態にあるときの様子を示した図である。図７は、図６の絞り装置５０に含まれる２枚の小絞り用セクタ（小絞り羽根）及びこれらの遮蔽を補助する２枚の補助セクタを取り出して示した図である。さらに、図８は絞り装置５０が一段絞りの状態にあるときの様子を示した図である。図９は絞り装置５０が二段絞りの状態にあるときの様子を示した図である。なお、この絞り装置５０では、実施例１の絞り装置１と同一部位には同じ符号を付している。
【００３３】
図６に示すように本絞り装置５０は、レンズ開口４の左右に本来の小絞り用のセクタ６０，７０を２枚備えている。第１セクタ６０は、大きめの小絞り穴６３を備えた第１小絞り羽根である。第２セクタ７０は、第１セクタの小絞り穴６３よりも小さな小絞り穴７３を備えた第２小絞り羽根である。そして、第１セクタ６０を補完するための第１補助セクタ８０、第２セクタ７０を補完するための第２補助セクタ９０が更に配置されている。この図６では、各セクタを確認し易いように、第１セクタ６０及び第２セクタ７０に関する部分を実線で示している。また、第１補助セクタ８０を長い破線で、第２補助セクタ９０を破線で示している。
【００３４】
本装置５０でも、第１セクタ６０が支軸６１を中心に揺動自在に構成され、カム溝６２を備えている。第２セクタ７０も同様に、支軸７１を中心に揺動自在に構成され、カム溝７２を備えている。これらのカム溝６２，７２は、実施例１のセクタ１０，２０に形成したカム溝１２、２２と同様である。よって、この両セクタ６０、７０は駆動ピン５の移動に伴って交互にレンズ開口４側へ誘導され、一方がレンズ開口４を遮蔽しているときは他方は退避位置に保持される。
【００３５】
図７は、図６に示した各セクタ６０〜９０を確認し易いように取り出して示した図であり、（Ａ）は第１セクタ６０、（Ｂ）は第１補助セクタ８０、（Ｃ）は第２セクタ７０、（Ｄ）は第２補助セクタ９０を示している。（Ａ）で示す第１セクタ６０及び（Ｃ）で示す第２セクタ７０は、実施例１のセクタ１０，２０と比較すると、符号６５、７５で示す部分の幅が狭く形成されている。このように形成すると、両セクタ６０、７０をレンズ開口４へ近付けて配置できるので装置全体を小型化できる。しかし、図８（一段絞り）で示すように第１セクタ６０が小さくなった為に、レンズ開口４を遮蔽できない領域ＰＡが発生する。この部分の遮蔽を行なうために配置されているのが、図７（Ｂ）の第１補助セクタ８０である。同様に、図９（二段絞り）で示すように第２セクタ７０についてもレンズ開口４を遮蔽できない領域ＰＢが発生する。この部分の遮蔽を行なうために配置されているのが、図７（Ｄ）の第２補助セクタ９０である。
【００３６】
上記第１補助セクタ８０は、第１セクタ６０と近似した形状を有しており、支軸６１を同軸にして揺動するように構成され、図８に示す一段絞りの状態では未遮蔽部分ＰＡを遮蔽するようにして停止する。よって、第１補助セクタ８０に形成されるカム溝８２も、第１セクタ６０のカム溝６２と近似した形状に形成されている。ただし、このカム溝８２は長穴状ではなく一端が開放している。なお、図７で確認できるように、第１補助セクタ８０には第１セクタ６０の小絞り穴６３に対応した開口８３が形成されている。この開口は絞り穴６３の絞り作用の障害とならないように大きく形成されている。上記の関係は、図９に示した二段絞りの状態から確認できるように、第２セクタ７０と第２補助セクタ９０についても同様である。
【００３７】
この絞り装置５０の第１、第２セクタ６０，７０も、実施例１のセクタ１０，２０と同様にカム溝のみによって揺動されるので、復帰ピンや度決め部材を用いることなく確実に全開、一段絞り、二段絞りの状態を形成できる。さらに、小絞り用セクタ６０，７０を小さく形成しているので、装置の小型化を促進できる。未遮蔽部分の遮蔽を行なう補助セクタ８０、９０は本来の小絞り用セクタ６０，７０の揺動軸を兼用し、１つの駆動ピン５で揺動できるので構成を複雑化させることなく装置の小型化を図ることができる。
【００３８】
以上、本発明の好ましい一実施形態について詳述したが、本発明は係る特定の実施形態に限定されるものではなく、特許請求の範囲に記載された本発明の要旨の範囲内において、種々の変形・変更が可能である。上記実施例では、各セクタに形成するカム溝の例として、長穴形状、一端を開放した長穴形状の例を示したがこれに限るものではない。要するに、駆動ピンが当接する部分に所定のカム曲線が形成され、セクタをレンズ開口に誘導し、退避位置に保持させることができように、カム溝を形成すればよい。
【図面の簡単な説明】
【００３９】
【図１】実施例１に係る絞り装置が全開状態にあるときの様子を示した図である。
【図２】図１の絞り装置に含まれる２枚の小絞り用セクタを取り出して示した図である。
【図３】絞り装置が一段絞りの状態にあるときの様子を示した図である。
【図４】絞り装置が二段絞りの状態にあるときの様子を示した図である。
【図５】図１の絞り装置が備える基板とモータとの配置関係を示した側面図である。
【図６】実施例２に係る絞り装置が全開状態にあるときの様子を示した図である。
【図７】図６の絞り装置に含まれる２枚の小絞り用セクタ及びこれらを補助する２枚の補助セクタを取り出して示した図である。
【図８】絞り装置が一段絞りの状態にあるときの様子を示した図である。
【図９】絞り装置が二段絞りの状態にあるときの様子を示した図である。
【符号の説明】
【００４０】
１                絞り装置
３                基板
４                レンズ開口
５                駆動ピン
７                ステップモータ
１０              第１セクタ
１１              支軸
１２              カム溝
１３              小絞り穴
２０              第２セクタ
２１              支軸
２２              カム溝
２３              小絞り穴
６０              第１セクタ
７０              第２セクタ
８０              第１補助セクタ
９０              第２補助セクタ
α                揺動領域
β                非揺動領域
【図１】
2005173355.tif 000003
【図２】
2005173355.tif 000004
【図３】
2005173355.tif 000005
【図４】
2005173355.tif 000006
【図５】
2005173355.tif 000007
【図６】
2005173355.tif 000008
【図７】
2005173355.tif 000009
【図８】
2005173355.tif 000010
【図９】
2005173355.tif 000011